(57)【要約】【課題】既存の取付孔を利用して迅速かつ容易にドアクローザを取り付けることができる取付補助具を得る。【解決手段】この取付補助具１０は、ドアＤに形成されるドア側取付孔２１，２２に固定される固定金具３１と、ドアＤの上枠ＤＨに形成される上枠側取付孔２５に固定されるブラケット３５と、を備えるドアクローザ１００を取り付けるためのものであって、ドアＤの上面に対するドア側取付孔２１の位置を計測して固定金具３１に形成される複数の固定金具側取付孔３２の中から締結部材３４を締結する固定金具側取付孔３２を決定する固定金具取付ガイド部１１と、ドアＤに固定された固定金具３１の上面に対する上枠側取付孔２５の位置を計測してブラケット３５に形成される複数のブラケット側取付孔３６の中から締結部材３８を締結するブラケット側取付孔３６を決定するブラケット取付ガイド部１３と、を備える。【選択図】図２
2019011659.tif 000002
【特許請求の範囲】
【請求項１】
ドアに形成されるドア側取付孔に固定される固定金具と、
前記ドアの上枠に形成される上枠側取付孔に固定されるブラケットと、
を備えるドアクローザを取り付けるための取付補助具であって、
前記ドアの上面に対する前記ドア側取付孔の位置を計測して前記固定金具に形成される複数の固定金具側取付孔の中から締結部材を締結する固定金具側取付孔を決定する固定金具取付ガイド部と、
前記ドアに固定された前記固定金具の上面に対する前記上枠側取付孔の位置を計測して前記ブラケットに形成される複数のブラケット側取付孔の中から前記締結部材を締結する当該ブラケット側取付孔を決定するブラケット取付ガイド部と、
を備えることを特徴とする取付補助具。
【請求項２】
請求項１に記載の取付補助具において、
外郭形状が矩形形状に形成され、
一辺に前記固定金具取付ガイド部を備えるとともに、当該一辺と交わる他辺に前記ブラケット取付ガイド部を備え、
前記一辺を前記ドアの前記上面にあてがうことで当該ドアの当該上面に対する前記ドア側取付孔の位置を計測して前記締結部材を締結する前記固定金具側取付孔を決定し、
前記他辺を前記ドアに固定された前記固定金具の前記上面にあてがうことで当該固定金具の当該上面に対する前記上枠側取付孔の位置を計測して前記締結部材を締結する前記ブラケット側取付孔を決定することを特徴とする取付補助具。
【発明の詳細な説明】
【技術分野】
【０００１】
本発明は、ドアクローザを取り付けるための取付補助具に関するものである。
【背景技術】
【０００２】
従来、既設のドアクローザを新しいものに取り替える際、ドアクローザによって取付孔の位置等が異なるため、既存の取付孔を利用することができず、再度取付孔を開ける必要があった。下記の特許文献１には、このような課題を解決する既存の取付孔に取り付け可能なドアクローザが開示されている。
【先行技術文献】
【特許文献】
【０００３】
【特許文献１】特開２００９−４１２３５号公報
【発明の概要】
【発明が解決しようとする課題】
【０００４】
しかしながら、上掲の特許文献１に記載のドアクローザは、既存の取付孔の寸法や既存の取付孔と取り付ける部材との位置関係を定規等で計測して取り付けに必要な取付寸法を判別する作業が必要であり、作業が煩雑であるという課題があった。
【０００５】
本発明は、上述した従来技術に存在する課題に鑑みて成されたものであり、その目的は、既存の取付孔を利用して迅速かつ容易にドアクローザを取り付けることができる取付補助具を提供することにある。
【課題を解決するための手段】
【０００６】
以下、本発明について説明する。なお、本発明の理解を容易にするために添付図面の参照番号を括弧書きにて付記するが、それにより本発明が図示の形態に限定されるものではない。
【０００７】
本発明に係る取付補助具（１０）は、ドア（Ｄ）に形成されるドア側取付孔（２１，２２）に固定される固定金具（３１）と、前記ドア（Ｄ）の上枠（ＤＨ）に形成される上枠側取付孔（２５）に固定されるブラケット（３５）と、を備えるドアクローザ（１００）を取り付けるためのものであって、前記ドア（Ｄ）の上面に対する前記ドア側取付孔（２１）の位置を計測して前記固定金具（３１）に形成される複数の固定金具側取付孔（３２）の中から締結部材（３４）を締結する固定金具側取付孔（３２）を決定する固定金具取付ガイド部（１１）と、前記ドア（Ｄ）に固定された前記固定金具（３１）の上面に対する前記上枠側取付孔（２５）の位置を計測して前記ブラケット（３５）に形成される複数のブラケット側取付孔（３６）の中から前記締結部材（３８）を締結する当該ブラケット側取付孔（３６）を決定するブラケット取付ガイド部（１３）と、を備えることを特徴とするものである。
【０００８】
また、本発明に係る取付補助具（１０）は、外郭形状が矩形形状に形成され、一辺に前記固定金具取付ガイド部（１１）を備えるとともに、当該一辺と交わる他辺に前記ブラケット取付ガイド部（１３）を備え、前記一辺を前記ドア（Ｄ）の前記上面にあてがうことで当該ドア（Ｄ）の当該上面に対する前記ドア側取付孔（２１）の位置を計測して前記締結部材（３４）を締結する前記固定金具側取付孔（３２）を決定し、前記他辺を前記ドア（Ｄ）に固定された前記固定金具（３１）の前記上面にあてがうことで当該固定金具（３１）の当該上面に対する前記上枠側取付孔（２５）の位置を計測して前記締結部材（３８）を締結する前記ブラケット側取付孔（３６）を決定することとすることができる。
【発明の効果】
【０００９】
本発明によれば、既存の取付孔を利用して迅速かつ容易にドアクローザを取り付けることができる取付補助具を提供することができる。
【図面の簡単な説明】
【００１０】
【図１】本実施形態に係る取付補助具が用いられるドアクローザの構成例を示す図である。
【図２】本実施形態に係る取付補助具の構成例を示す図である。
【図３】本実施形態に係る取付補助具によるドアに形成されるドア側取付孔の位置の計測方法を説明するための図であり、図中の分図（ａ）は、取付補助具がドアの上面にあてがわれた状態を示す図であり、図中の分図（ｂ）は、ドアの上面にあてがわれた取付補助具の上部を拡大した図である。
【図４】本実施形態に係る取付補助具による固定金具側取付孔の決定方法を説明するための図であり、図中の分図（ａ）は、ドア側取付孔が領域ａに位置する場合の締結部材を締結する固定金具側取付孔を示す図であり、図中の分図（ｂ）は、ドア側取付孔が領域ｂに位置する場合の締結部材を締結する固定金具側取付孔を示す図であり、図中の分図（ｃ）は、ドア側取付孔が領域ｃに位置する場合の締結部材を締結する固定金具側取付孔を示す図である。
【図５】本実施形態に係る取付補助具によるドアの上枠に形成される上枠側取付孔の位置の計測方法を説明するための図であり、図中の分図（ａ）は、取付補助具が固定金具の上面にあてがわれた状態を示す斜視図であり、図中の分図（ｂ）は、取付補助具が固定金具の上面にあてがわれた状態を示す正面図である。
【図６】本実施形態に係る取付補助具によるブラケット側取付孔の決定方法を説明するための図であり、図中の分図（ａ）は、上枠側取付孔が取付補助具の他辺から半分以上見えている状態を示す図であり、図中の分図（ｂ）は、上枠側取付孔が取付補助具の他辺から見えている割合が半分より少ない状態を示す図である。
【図７】本実施形態に係るスライド取付板を固定金具に固定する方法を説明するための図であり、図中の分図（ａ）は、固定金具の突起をスライド取付板の長孔に挿入した状態を示す図であり、図中の分図（ｂ）は、ブラケットの中心とスライド取付板に形成される取付目印を合わせた状態を示す図であり、図中の分図（ｃ）は、固定板によりスライド取付板を固定金具に固定する状態を説明するための図である。
【図８】本実施形態に係るドアクローザ本体部をスライド取付板に固定する方法を説明するための図であり、図中の分図（ａ）は、アームリンクが取り付けられたドアクローザ本体部をスライド取付板に取り付ける方法を説明するための外観斜視図であり、図中の分図（ｂ）は、ドアクローザ本体部をスライド取付板に取り付ける方法を説明するための平面図である。
【発明を実施するための形態】
【００１１】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１２】
まず、本実施形態に係る取付補助具１０が用いられるドアクローザ１００の構成例について、図１を用いて説明する。ここで、図１は、本実施形態に係る取付補助具が用いられるドアクローザの構成例を示す図である。
【００１３】
ドアクローザ１００は、ドアＤに固定される固定金具３１と、ドアＤの上枠ＤＨに固定されるブラケット３５と、固定金具３１に設置されるスライド取付板４１と、ドアクローザ本体部５１と、一端がブラケット３５と連結されるとともに他端がドアクローザ本体部５１と連結されるアームリンク６１と、を備えて構成される。
【００１４】
固定金具３１は、複数の固定金具側取付孔３２を備えており、ドアＤに形成されるドア側取付孔２１，２２（図３参照）と固定金具側取付孔３２とに、締結部材としての取付ネジ３４を締結することでドアＤに固定される。
【００１５】
ブラケット３５は、側面視Ｌ字形状を有しており、その一面に形成される複数のブラケット側取付孔３６と、他面に突出して形成されるアームリンク６１と連結するためのピン３７と、を備えて構成される。ブラケット３５は、ドアＤの上枠ＤＨに形成される上枠側取付孔２５（図３参照）とブラケット側取付孔３６とに、締結部材としての取付ネジ３８を締結することでドアＤの上枠ＤＨに固定される。
【００１６】
スライド取付板４１は、長手方向に形成される長孔４２と、その側面に設置される係止部４３と、当該係止部４３と反対側の側面に設置されるドアクローザ本体部５１を固定する固定部４４と、を備えて構成される。スライド取付板４１は、矩形形状の固定板４５を介して取付ネジ４６を締結することにより固定金具３１に設置される。
【００１７】
ドアクローザ本体部５１は、上面に形成されるアームリンク６１を取り付けるためのアームリンク取付部５２と、スライド取付板４１の係止部４３に係止するためのピン５３と、側面に形成されるスライド取付板４１の固定部４４に形成される固定孔４４ａに取付ネジ５５を介して固定するためのドアクローザ本体部側取付孔５４と、を備えて構成される。
【００１８】
ドアクローザ本体部５１は、アームリンク取付部５２に後述するアームリンク６１の取付部６３が取り付けられることでアームリンク６１と連結される。また、ドアクローザ本体部５１は、ピン５３をスライド取付板４１の係止部４３に係止するとともに、スライド取付板４１の固定部４４に形成される固定孔４４ａとドアクローザ本体部側取付孔５４とに取付ネジ５５を締結することでスライド取付板４１に固定される。
【００１９】
アームリンク６１は、一端に形成されるブラケット３５と連結するためのブラケット連結部６２と、他端に形成されるドアクローザ本体部５１にアームリンク６１を取り付けるための取付部６３と、を備えて構成される。アームリンク６１は、ブラケット連結部６２にブラケット３５のピン３７が挿入されてブラケット３５と連結される。また、上述したように、アームリンク６１は、ドアクローザ本体部５１のアームリンク取付部５２に取付部６３を取り付けることでドアクローザ本体部５１と連結される。
【００２０】
以上、本実施形態に係る取付補助具１０が用いられるドアクローザ１００の構成例について、説明した。次に、本実施形態に係る取付補助具１０の構成例について、図２を用いて説明する。ここで、図２は、本実施形態に係る取付補助具の構成例を示す図である。
【００２１】
取付補助具１０は、ドアＤの上面に対するドア側取付孔２１，２２の位置を計測して固定金具３１に形成される複数の固定金具側取付孔３２の中から締結部材としての取付ネジ３４を締結する固定金具側取付孔３２を決定する固定金具取付ガイド部１１と、ドアＤに固定された固定金具３１の上面に対する上枠側取付孔２５の位置を計測してブラケット３５に形成される複数のブラケット側取付孔３６の中から締結部材としての取付ネジ３８を締結するブラケット側取付孔３６を決定するブラケット取付ガイド部１３と、を備えて構成される（図３および図５参照）。
【００２２】
すなわち、本実施形態に係る取付補助具１０は、矩形形状を有して形成されており、一辺に長辺として形成される固定金具取付ガイド部１１を備えるとともに、当該一辺と交わる他辺に短辺として形成されるブラケット取付ガイド部１３を備える。
【００２３】
固定金具取付ガイド部１１は、取付補助具１０の一辺から特定の距離を有する３つの領域ａ，ｂ，ｃを備えて構成される。取付補助具１０は、固定金具取付ガイド部１１が配置される一辺をドアＤの上面にあてがうことでドアＤの上面に対するドア側取付孔２１，２２の位置を計測して締結部材としての取付ネジ３４を締結する固定金具側取付孔３２を決定する。
【００２４】
ブラケット取付ガイド部１３は、ドアＤに固定された固定金具３１の上面から上枠側取付孔２５の距離の基準となる長さを有して構成される。取付補助具１０は、ドアＤに固定された固定金具３１の上面にブラケット取付ガイド部１３が備えられる辺をあてがうことで固定金具３１の上面に対する上枠側取付孔２５の位置を計測して締結部材としての取付ネジ３８を締結するブラケット側取付孔３６を決定する。
【００２５】
以上、本実施形態に係る取付補助具１０の構成例について説明した。次に、本実施形態に係る取付補助具１０の使用方法およびドアクローザ１００の取付方法について、図３ないし図８を用いて説明する。ここで、図３は、本実施形態に係る取付補助具によるドアに形成されるドア側取付孔の位置の計測方法を説明するための図であり、図中の分図（ａ）は、取付補助具がドアの上面にあてがわれた状態を示す図であり、図中の分図（ｂ）は、ドアの上面にあてがわれた取付補助具の上部を拡大した図である。また、図４は、本実施形態に係る取付補助具による固定金具側取付孔の決定方法を説明するための図であり、図中の分図（ａ）は、ドア側取付孔が領域ａに位置する場合の締結部材を締結する固定金具側取付孔を示す図であり、図中の分図（ｂ）は、ドア側取付孔が領域ｂに位置する場合の締結部材を締結する固定金具側取付孔を示す図であり、図中の分図（ｃ）は、ドア側取付孔が領域ｃに位置する場合の締結部材を締結する固定金具側取付孔を示す図である。さらに、図５は、本実施形態に係る取付補助具によるドアの上枠に形成される上枠側取付孔の位置の計測方法を説明するための図であり、図中の分図（ａ）は、取付補助具が固定金具の上面にあてがわれた状態を示す斜視図であり、図中の分図（ｂ）は、取付補助具が固定金具の上面にあてがわれた状態を示す正面図である。また、図６は、本実施形態に係る取付補助具によるブラケット側取付孔の決定方法を説明するための図であり、図中の分図（ａ）は、上枠側取付孔が取付補助具の他辺から半分以上見えている状態を示す図であり、図中の分図（ｂ）は、上枠側取付孔が取付補助具の他辺から見えている割合が半分より少ない状態を示す図である。さらに、図７は、本実施形態に係るスライド取付板を固定金具に固定する方法を説明するための図であり、図中の分図（ａ）は、固定金具の突起をスライド取付板の長孔に挿入した状態を示す図であり、図中の分図（ｂ）は、ブラケットの中心とスライド取付板に形成される目印を合わせた状態を示す図であり、図中の分図（ｃ）は、固定板によりスライド取付板を固定金具に固定する状態を説明するための図である。また、図８は、本実施形態に係るドアクローザ本体部をスライド取付板に固定する方法を説明するための図であり、図中の分図（ａ）は、アームリンクが取り付けられたドアクローザ本体部をスライド取付板に取り付ける方法を説明するための外観斜視図であり、図中の分図（ｂ）は、ドアクローザ本体部をスライド取付板に取り付ける方法を説明するための平面図である。
【００２６】
まず、固定金具３１をドアＤに固定するために、既存のドア側取付孔２１，２２の位置を計測して取付ネジ３４を締結する固定金具側取付孔３２を決定する。
【００２７】
具体的には、図３に示すように、固定金具取付ガイド部１１が配置される一辺をドアＤの上面にあてがうことにより、既存のドア側取付孔２１，２２の上側に配置されるドア側取付孔２１が固定金具取付ガイド部１１のいずれの位置に存在するかを計測する。図３中の分図（ｂ）に示すように、固定金具取付ガイド部１１は、取付補助具１０の一辺から特定の距離を有する３つの領域ａ，ｂ，ｃを備えており、上側のドア側取付孔２１の中心が３つの領域ａ，ｂ，ｃのうちのいずれの位置に存在するかを計測する。例えば、図３中の分図（ｂ）に例示されるドア側取付孔２１は、固定金具取付ガイド部１１の領域ａに位置している。なお、上側のドア側取付孔２１の中心が領域ａ，ｂの境界線上に位置するときには、下側の領域ｂに位置するものとし、上側のドア側取付孔２１の中心が領域ｂ，ｃの境界線上に位置するときには、下側の領域ｃに位置するものとする。
【００２８】
ドア側取付孔２１が、固定金具取付ガイド部１１の３つの領域ａ，ｂ，ｃのうちのいずれの位置に存在するか計測されると、図４に示すように、固定金具３１が有する複数の固定金具側取付孔３２の中から取付ネジ３４を締結する固定金具側取付孔３２が決定される。より詳しくは、図４中の分図（ａ）に例示するように、上側のドア側取付孔２１が固定金具取付ガイド部１１の領域ａに位置する場合、固定金具３１に２列形成される６つの固定金具側取付孔３２のうち、左側の列の上から一番目と上から三番目の固定金具側取付孔３２に取付ネジ３４が締結されることとなる。また、図４中の分図（ｂ）に例示するように、上側のドア側取付孔２１が固定金具取付ガイド部１１の領域ｂに位置する場合、固定金具３１に２列形成される６つの固定金具側取付孔３２のうち、右側の列に形成される２つの固定金具側取付孔３２に取付ネジ３４が締結されることとなる。さらに、図４中の分図（ｃ）に例示するように、上側のドア側取付孔２１が固定金具取付ガイド部１１の領域ｃに位置する場合、固定金具３１に２列形成される６つの固定金具側取付孔３２のうち、左側の列の上から二番目と上から四番目に取付ネジ３４が締結されることとなる。
【００２９】
このように、取付補助具１０によって決定された固定金具側取付孔３２とドア側取付孔２１，２２とに取付ネジ３４を締結して固定金具３１をドアＤに固定する。
【００３０】
次に、ブラケット３５をドアＤの上枠ＤＨに固定するために、既存の上枠側取付孔２５の位置を計測して取付ネジ３８を締結するブラケット側取付孔３６を決定する。
【００３１】
具体的には、図５に示すように、ドアＤに固定された固定金具３１の上面にブラケット取付ガイド部１３が備えられる辺をあてがうことにより、固定金具３１の上面に対する既存の上枠側取付孔２５が、特定の長さを有するブラケット取付ガイド部１３を備える辺からどの程度見えているかを計測して取付ネジ３８を締結するブラケット側取付孔３６を決定する。
【００３２】
図６中の分図（ａ）に示すように、上枠側取付孔２５が、取付補助具１０のブラケット取付ガイド部１３を備える辺から半分以上見えている場合、ブラケット３５に形成される４つのブラケット側取付孔３６のうち、上側に形成される２つのブラケット側取付孔３６に取付ネジ３８が締結されることとなる。また、図６中の分図（ｂ）に示すように、上枠側取付孔２５が、取付補助具１０のブラケット取付ガイド部１３を備える辺から見えている割合が半分より少ない場合、ブラケット３５に形成される４つのブラケット側取付孔３６のうち、下側に形成される２つのブラケット側取付孔３６に取付ネジ３８が締結されることとなる。
【００３３】
このように、取付補助具１０によって決定されたブラケット側取付孔３６と上枠側取付孔２５とに取付ネジ３８を締結してブラケット３５をドアＤの上枠ＤＨに固定する。
【００３４】
次に、スライド取付板４１を固定金具３１に固定する。固定金具３１は、突起３３を有して形成されている。図７中の分図（ａ）に示すように、この突起３３をスライド取付板４１に形成される長孔４２に挿入する。そして、図７中の分図（ｂ）に示すように、突起３３が長孔４２に挿入された状態でスライド取付板４１をスライドさせ、ブラケット３５の中心線の延長とスライド取付板４１に形成されるスライド取付板４１を取り付ける際の目印となる取付目印４７とを合わせる。取付位置に配置されたスライド取付板４１は、図７中の分図（ｃ）に示すように、固定板４５を介して取付ネジ４６を締結することにより固定金具３１に固定される。
【００３５】
そして、固定金具３１に固定されたスライド取付板４１にドアクローザ本体部５１を固定する。アームリンク６１が取り付けられたドアクローザ本体部５１は、図８に示すように、その内部の隅にピン５３と、その側面にドアクローザ本体部側取付孔５４と、を備えている。ドアクローザ本体部５１は、このピン５３をスライド取付板４１の係止部４３に係止するとともに、スライド取付板４１の固定部４４に形成される固定孔４４ａとドアクローザ本体部側取付孔５４とに取付ネジ５５を締結してスライド取付板４１に固定される。また、アームリンク６１は、ブラケット連結部６２にブラケット３５のピン３７を挿入してブラケット３５と連結される。
【００３６】
以上、本実施形態に係る取付補助具１０の使用方法とドアクローザ１００の取付方法について説明した。上述したように、本実施形態に係る取付補助具１０によれば、既存の取付孔を利用して迅速かつ容易にドアクローザ１００を取り付けることができるようになっている。
【００３７】
以上、本発明の好適な実施形態について説明したが、本発明の技術的範囲は上記実施形態に記載の範囲には限定されない。上記実施形態には、多様な変更又は改良を加えることが可能である。
【００３８】
例えば、上述した実施形態では、ドア側取付孔２１，２２の上側のドア側取付孔２１の位置を計測して取付ネジ３４を締結する固定金具側取付孔３２を決定しているが、下側のドア側取付孔２２の位置を計測して取付ネジ３４を締結する固定金具側取付孔３２を決定することとしてもよい。
【００３９】
その様な変更又は改良を加えた形態も本発明の技術的範囲に含まれ得ることが、特許請求の範囲の記載から明らかである。
【符号の説明】
【００４０】
１０  取付補助具、１００  ドアクローザ、１１  固定金具取付ガイド部、１３  ブラケット取付ガイド部、２１，２２  ドア側取付孔、２５  上枠側取付孔、３１  固定金具、３２  固定金具側取付孔、３３  突起、３４  取付ネジ、３５  ブラケット、３６  ブラケット側取付孔、３７  ピン、３８  取付ネジ、４１  スライド取付板、４２  長孔、４３  係止部、４４  固定部、４４ａ  固定孔、４５  固定板、４６  取付ネジ、４７  取付目印、５１  ドアクローザ本体部、５２  アームリンク取付部、５３  ピン、５４  ドアクローザ本体部側取付孔、５５  取付ネジ、６１  アームリンク、６２  ブラケット連結部、６３  取付部、Ｄ  ドア、ＤＨ  上枠。
【図１】
2019011659.tif 000003
【図２】
2019011659.tif 000004
【図３】
2019011659.tif 000005
【図４】
2019011659.tif 000006
【図５】
2019011659.tif 000007
【図６】
2019011659.tif 000008
【図７】
2019011659.tif 000009
【図８】
2019011659.tif 000010